(57)【要約】本発明は、車両（１００）のステアリングシステムを制御する方法に関する。ステアリングシステムは、車両の操舵可能な左輪（１０４）及び右輪（１０６）にそれぞれ設けられた、個別に制御可能なホイールトルクアクチュエータ（１０３，１０５）を備えている。このホイールトルクアクチュエータ（１０３，１０５）は、車両旋回中に制御される。【選択図】図２
2021503402.tif 000002
【特許請求の範囲】
【請求項１】
車両（１００）のステアリングシステムを制御する方法であって、前記車両（１００）は、左右端部に一対の操舵可能な車輪（１０４，１０６）を備えたフロントアクスル（１０２）を備え、前記操舵可能な各車輪は、個別に制御可能なホイールトルクアクチュエータ（１０３，１０５）を備え、
前記方法は、
旋回中に前記車両を動作させるのに必要な操舵角を決定するステップ（Ｓ１）と、
前記旋回中に実際の操舵角を検出するステップ（Ｓ２）と、
前記必要な操舵角と前記検出された実際の操舵角との差を決定するステップ（Ｓ３）と、
前記操舵可能な車輪の前記ホイールトルクアクチュエータ（１０３，１０５）について、前記必要な操舵角と前記検出された実際の操舵角との差を小さくするのに必要な差動ホイールトルクを決定するステップ（Ｓ４）と、
前記ホイールトルクアクチュエータを制御して、前記操舵可能な車輪の前記差動ホイールトルクを達成するステップ（Ｓ５）と、
を特徴とする方法。
【請求項２】
前記車両（１００）の前方の来るべき経路を決定することによって前記旋回を決定するステップと、
前記車両が前記経路で動作されたとき、前記実際の操舵角を検出するステップと、
を更に備えた、請求項１に記載の方法。
【請求項３】
前記差動ホイールトルクを決定するステップは、
前記一対の車輪（１０４，１０６）に作用する車輪の横力を決定するステップと、
前記車輪の横力に基づいて前記差動ホイールトルクを決定するステップと、
を備えた、請求項１又は２に記載の方法。
【請求項４】
前記車輪の横力を決定するステップは、
前記旋回について前記操舵可能な車輪（１０４，１０６）のスリップ角を決定するステップと、
前記操舵可能な車輪のコーナリング剛性と前記スリップ角とに基づいて前記車輪の横力を決定するステップと、
を備えた、請求項３に記載の方法。
【請求項５】
前記差動ホイールトルクを決定するステップは、
前記必要な操舵角と前記検出された実際の操舵角との差を小さくするのに必要な前記一対の車輪の追加の操舵トルク（Ｍｓｔｅｅｒ）を決定するステップと、
前記必要な追加の操舵トルクと前記操舵可能な車輪のホイールサスペンションのスクラブ半径とに基づいて、前記差動ホイールトルクを決定するステップと、
を更に備えた、請求項３に記載の方法。
【請求項６】
前記必要な追加の操舵トルクは、前記操舵可能な車輪のサスペンションのキャスター角に更に基づく、
請求項５に記載の方法。
【請求項７】
前記旋回中に前記車両に要求される縦力を決定するステップと、
前記操舵可能な車輪に前記差動ホイールトルクを印加したことによって生じる前記車両の縦力の変化を決定するステップと、
前記車両を制御して前記要求される車両の縦力を維持する推進力又は制動力を加えるステップと、
を更に備えた、請求項１〜６のいずれか１つに記載の方法。
【請求項８】
前記車両は、左右端部に操舵できない一対の後輪を備えた少なくとも１つのリアアクスルを更に備え、前記各後輪は、リアホイールトルクアクチュエータを備え、
前記方法は、前記操舵可能な車輪の前記トルクアクチュエータが動作しているとき、前記後輪の前記リアホイールアクチュエータがホイールトルクを印加することを禁止するステップを更に備えた、
請求項１〜７のいずれか１つに記載の方法。
【請求項９】
前記ステアリングシステムは、前記車両のプライマリステアリングシステムによって操舵することに加え、前記車両を操舵可能な冗長のセカンダリステアリングシステムである、
請求項１〜８のいずれか１つに記載の方法。
【請求項１０】
左右端部に一対の操舵可能な車輪を備え、前記操舵可能な各車輪が個別に制御可能なホイールトルクアクチュエータを備えたフロントアクスルと、前記ホイールトルクアクチュエータのそれぞれに接続された制御ユニットと、を備え、
前記制御ユニットが、旋回中に前記車両を動作させるのに必要な操舵角を決定し、前記旋回中に実際の操舵角を検出し、前記必要な操舵角と前記検出された実際の操舵角との差を決定し、前記操舵可能な車輪の前記ホイールトルクアクチュエータについて、前記必要な操舵角と前記検出された実際の操舵角との前記差を小さくするのに必要な差動ホイールトルクを決定し、前記ホイールトルクアクチュエータを制御して前記操舵可能な車輪の前記差動ホイールトルクを達成するように構成された、
ステアリングシステム。
【請求項１１】
前記ステアリングシステムは、自律車両の来るべき経路を検出するように配置された経路コントローラを更に備え、前記経路コントローラが前記制御ユニットに接続された、
請求項１０に記載のステアリングシステム。
【請求項１２】
前記ステアリングシステムは、前記制御ユニットに接続され、個々に制御可能な前記ホイールトルクアクチュエータの動作を制御するように配置されたホイールトルク制御モジュールを更に備え、前記ホイールトルク制御モジュールは、前記制御ユニットから制御信号を受信したとき、前記ホイールトルクアクチュエータを制御して前記差動ホイールトルクを印加するように配置された、
請求項１０又は１１に記載のステアリングシステム。
【請求項１３】
前記ホイールトルク制御モジュールは、操舵可能な各車輪の前記ホイールトルクアクチュエータに関連して配置された分散型のホイールトルク制御モジュールである、
請求項１２に記載のステアリングシステム。
【請求項１４】
前記ホイールトルクアクチュエータは、ホイールブレーキを備えた、
請求項１０〜１３のいずれか１つに記載のステアリングシステム。
【請求項１５】
前記ステアリングシステムは、冗長のセカンダリステアリングシステムであって、
前記制御ユニットは、前記自律車両のプライマリステアリングシステムが使用できないことを示す信号を受信し、前記プライマリステアリングシステムが使用できなければ、前記冗長のセカンダリステアリングシステムを制御するように更に配置された、
請求項１０〜１４のいずれか１つに記載のステアリングシステム。
【請求項１６】
ホイールサスペンションシステムを更に備え、
前記操舵可能な車輪は、正のスクラブ半径で前記ホイールサスペンションシステムに結合された、
請求項１０〜１５のいずれか１つに記載のステアリングシステム。
【請求項１７】
左右端部に一対の操舵可能な車輪を備え、前記操舵可能な各車輪は、個別に制御可能なホイールトルクアクチュエータを備えたフロントアクスルと、
請求項１０〜１６のいずれか１つに記載のステアリングシステムと、
を備えた車両。
【請求項１８】
前記車両は自律車両である、
請求項１７に記載の車両。
【請求項１９】
コンピュータで実行されたとき、請求項１〜９のいずれか１つのステップを実行するプログラムコード手段を備えたコンピュータプログラム。
【請求項２０】
コンピュータで実行されたとき、請求項１〜９のいずれか１つのステップを実行するプログラム手段を備えたコンピュータプログラムを保持するコンピュータ可読媒体。
【発明の詳細な説明】
【技術分野】
【０００１】
本発明は、車両のステアリングシステムを制御する方法に関する。本発明はまた、対応するステアリングシステム及び車両に関する。本発明は、車両、特に、一般的にトラックと呼ばれる小型車両、中型車両及び大型車両に適用可能である。主にトラックに関して本発明を説明するが、他の車両への実装も考えられる。
【背景技術】
【０００２】
車両の分野、特に、一般的にトラックと呼ばれる小型車両、中型車両及び大型車両では、車両の様々な制御機能に関して絶え間なき開発が行われている。特に、制御機能は、車両のドライバビリティ、ドライバの快適性、及び動作中の安全性を向上させることを目的としている。
【０００３】
一般的に常に向上されている１つの制御機能は、車両のステアリングである。自律ステアリングシステム、ステアバイワイヤシステムなどに関する特定の技術分野において、絶え間なき開発が行われている。特に、これらのタイプのステアリングシステムは、主に電動アクチュエータを使用して車両を制御し、期待通りに道路のカーブ（curvature）を辿る。自律ステアリングシステムは、例えば、検出された車両前方のカーブに基づいて操舵することができる。ステアバイワイヤシステムは、人間のオペレータ又は自律機能からの入力に基づいて操舵する。
【発明の概要】
【発明が解決しようとする課題】
【０００４】
上述したようなステアリングシステムの１つの問題は、故障、即ち、ステアリングが突然期待通りに機能しなくなった場合である。そのような場合、車両を期待通りに操舵できず、車両を牽引する必要があるか、せいぜい、車両機能を制限して修理工場まで走行させるいわゆるリンプホームモード機能が車両に設けられているかである。また、ステアリングシステムの故障は、ステアリングシステムが意図した通りに機能しないので、例えば、他の車両との側面衝突、車両が道路を逸脱するなど、交通事故のリスクを高める。
【０００５】
従って、特に、車両の操舵及びドライバビリティに関し、向上された機能を有するステアリングシステムを提供することが望まれている。
【課題を解決するための手段】
【０００６】
本発明の目的は、上記の欠点を少なくとも部分的に解消した、車両のステアリングシステムを制御する方法を提供することである。この目的は、請求項１に記載の方法によって達成される。
【０００７】
本発明の第１の態様によれば、車両のステアリングシステムを制御する方法が提供される。この車両は、左右端部に一対の操舵可能な車輪を備えたフロントアクスルを備え、操舵可能な各車輪は、個別に制御可能なホイールトルクアクチュエータを備えている。この方法は、旋回（turning maneuver）中に車両を動作させるのに必要な操舵角を決定するステップと、旋回中に実際の操舵角を検出するステップと、必要な操舵角と検出された実際の操舵角との差を決定するステップと、操舵可能な車輪のホイールトルクアクチュエータについて、必要な操舵角と検出された実際の操舵角との差を小さくするのに必要な差動ホイールトルク（differential wheel torque）を決定するステップと、ホイールトルクアクチュエータを制御して操舵可能な車輪の差動ホイールトルクを達成するステップと、を備えている。
【０００８】
「フロントアクスル」という用語は、車両の前後方向で見て、車両の前方に位置する車軸として配置された、フロントホイールアクスルとして解釈すべきである。従って、車両の前後方向に対して、左側及び右側が理解できるはずである。
【０００９】
また、「ホイールトルクアクチュエータ」という用語は、操舵可能な車輪にトルクを印加して制御するように配置されたアクチュエータとして解釈すべきである。従って、トルクは、車輪の回転軸、即ち、車輪の回転軸の方向に作用している。ホイールトルクアクチュエータは、トルクを加える、即ち、車輪に推進力を加える形態として正のトルクを加えるか、又は車輪の回転速度を低下させるトルク、即ち、負のトルクを加えるか、要するに、駆動トルク又は制動トルクを加えることができる。このように、ホイールトルクアクチュエータは、各車輪に作用するトルクを増加させるとともに減少させるように配置することができる。従って、ホイールトルクアクチュエータを制御して操舵可能な車輪の差動ホイールトルクを達成するとき、各ホイールトルクアクチュエータは、それぞれの車輪に個別のトルクを印加する。例えば、左側の操舵可能な車輪のホイールトルクアクチュエータは、右側の操舵可能な車輪のホイールトルクアクチュエータより大きなトルクを印加することができる。もちろん、左右の車輪の一方のみにトルクを印加することによって、差動ホイールトルクを達成することもできる。他の例によれば、操舵可能な車輪の一方に正のトルクを印加し、操舵可能な車輪の他方に負のトルクを印加することもできる。例示的な実施形態によれば、ホイールトルクアクチュエータは、好ましくは、例えば、電気機械又は油圧モータなど、ホイールブレーキ又はホイール推進ユニットの一方を備えることができる。
【００１０】
さらに、「旋回」という用語は、車両が前方のまっすぐな経路から逸脱する状況として解釈すべきである。従って、旋回は、車両の車線変更、又は道路のカーブによって発生する車両の旋回などに関連することができる。旋回は、来るべき将来の旋回、又は車両を動作させるときに検出された進行中の旋回に関連することができる。従って、決定された必要な操舵角は、来るべき経路が検出されたいわゆるフィードフォワードアプローチによるか、又は決定された必要な操舵角が検出された車両のオペレータによるステアリングホイールの回転によるフィードバックアプローチに基づくことができる。後者の場合には、ステアバイワイヤシステムに特に有用であり、第１のアプローチは、自律車両に特に有用である。
【００１１】
本発明は、実際の操舵角と比較される必要な操舵角を評価することによって、個別に制御可能なホイールトルクアクチュエータを制御して、期待通りに車両を動作させるのに必要な操舵角と実際の操舵角との差を小さくすることができるという洞察に基づいている。フロントアクスルの操舵可能な車輪のホイールトルクアクチュエータを制御することは、動作対象の車両を期待通りに制御するという点で満足する結果をもたらすことが予想外に実現された。以下でさらに説明するように、車両を期待通りに制御するのに必要な追加トルクを決定するとき、スクラブ半径（scrub radius）、並びにキングピン軸角度、キャンバー、キャスター、及び／又は傾斜角度を考慮することは、必要な操舵角と実際の操舵角との差を小さくすることに関し比較的高精度をもたらす。
【００１２】
また、上記の方法は、例えば、プライマリステアリングシステムが故障した場合、又はプライマリステアリングシステムが期待通りに機能しないとき、車両の動作を制御するバックアップステアリングシステムとして有利に使用することができる。従って、上記の方法は、プライマリステアリングシステムの補完又は支援として使用することもできる。
【００１３】
さらに、以下でさらに説明するように、ホイールトルクアクチュエータを制御して必要な操舵角と実際の操舵角との差を小さくすることによって、車速を期待通りに維持することができる。これによって、上記の方法並びに後述するステアリングシステムは、プライマリステアリングシステムが故障している場合、車両をいわゆるリンプホームモードに設定する必要がなくなる。従って、車両を依然として期待通りに動作させることができる。他の利点は、車輪の操舵角を制御することによって、この方法がヨーレートの決定に依存しないことにある。これによって、この方法は、低車速及び大きな道路半径で動作する場合、十分に適合して安定している。
【００１４】
例示的な実施形態によれば、この方法は、車両前方の来るべき経路を決定することによって旋回を決定するステップと、車両が経路で動作されているときの実際の操舵角を検出するステップと、を更に備えていてもよい。
【００１５】
車両前方の経路は、車両前方の道路のカーブに関連すると解釈すべきである。来るべき経路は、例えば、適切な経路検出センサなどに接続された経路追従モジュールなど、車両の経路コントローラによって検出することができる。
【００１６】
これによって、来るべき経路において車両を動作させるのに必要な操舵角は、前もって、即ち、制御が必要な道路のコーナに車両が到達する前に決定することができる。
【００１７】
例示的な実施形態によれば、差動ホイールトルクを決定するステップは、一対の車輪に作用する車輪の横力（lateral force）を決定するステップと、車輪の横力に基づいて差動ホイールトルクを決定するステップと、を備えていてもよい。
【００１８】
これによって、差動ホイールトルクは、一対の車輪に影響を及ぼすパラメータに基づいて制御することができる。これによって、車両を期待通りに動作させる精度をさらに向上、即ち、必要な操舵角と実際の操舵角との差の減少を改善することができる。横力は、車輪を整列させることを目的とし、これによって、車輪の横力は、例えば、車両旋回、及び／又は、例えば、風荷重、道路状態など、車両の外力に関連した影響によって発生する。
【００１９】
例示的な実施形態によれば、車輪の横力を決定するステップは、旋回のための操舵可能な車輪のスリップ角を決定するステップと、操舵可能な車輪のコーナリング剛性とスリップ角とに基づいて車輪の横力を決定するステップと、を備えていてもよい。
【００２０】
スリップ角は、車輪の角度位置と車輪の実際の動きの角度方向との差を規定する角度として解釈すべきである。例えば、前後方向軸に対して操舵可能な車輪が１５度に操舵されており、同じ前後方向軸に対して実際の操舵可能な車輪の動きが１２度であれば、スリップ角は３度である。一方、タイヤのコーナリング剛性は、横方向における操舵可能な車輪の剛性である。コーナリング剛性は、スリップ角（又はサイドスリップ角）とタイヤの横力との関数として規定されるタイヤパラメータである。コーナリング剛性は、特定の通常荷重での特定のタイヤについて、小さなスリップ角では一定と見做すことができる。
【００２１】
例示的な実施形態によれば、差動ホイールトルクを決定するステップは、必要な操舵角と検出された実際の操舵角との差を小さくするために、一対の車輪の必要な追加操舵トルクを決定するステップと、操舵可能な車輪の必要な追加操舵トルクとホイールサスペンションのスクラブ半径に基づいて差動ホイールトルクを決定するステップと、を更に備えていてもよい。
【００２２】
スクラブ半径は、車輪のキングピン軸が路面と交差する位置と、車輪と路面との接地面の中心との横方向距離として理解すべきである。スクラブ半径は、一般的に、「路面における操舵軸のオフセット」とも呼ばれる。
【００２３】
上記のように、発明者は、印加対象の差動ホイールトルクを決定するとき、スクラブ半径、特に、正のスクラブ半径を効率的に使用できることを予期せず認識できた。これによって、追加操舵トルクが操舵可能な車輪に影響を及ぼして所望の方向に移動させる。
【００２４】
例示的な実施形態によれば、必要な追加操舵トルクは、操舵可能な車輪のサスペンションキャスター角に更に基づいてもよい。これによって、車輪のさらなるパラメータ、及びパラメータが動作中に路面とどのように相互に関連するかを考慮して、必要な追加操舵トルクを決定する精度を更に向上することができる。
【００２５】
例示的な実施形態によれば、この方法は、旋回中に必要な車両の縦力（longitudinal force）を決定するステップと、操舵可能な車輪に印加された差動ホイールトルクに起因する車両の縦力の変化を決定するステップと、車両を制御して推進力又は制動力を加えて必要な車両の縦力を維持するステップと、を更に備えていてもよい。
【００２６】
上述したように、利点は、車両の縦力を制御することによって、旋回中に車両を所望の車速に維持できることである。このため、ステアリングシステムが冗長なセカンダリステアリングシステムであっても、車両の操作性を維持することができ、車両をリンプホームモードなどで制御する必要はない。従って、操舵可能な車輪のホイールトルクアクチュエータを制御しつつ車速を同時に制御することによって、操舵を制御することができる。
【００２７】
例示的な実施形態によれば、車両は、左右端部に操舵できない一対の後輪を備えた少なくとも１つのリアアクスルを更に備え、各後輪は、リアホイールトルクアクチュエータを備えていてもよい。この方法は、操舵可能な車輪のホイールトルクアクチュエータを動作させるとき、後輪のリアホイールアクチュエータにホイールトルクを印加させることを禁止するステップを更に備えている。
【００２８】
従って、車両の前方にある車輪を制御することによってのみ、操舵が制御される。これは、追加の推進力を最小にして、必要な車両の縦力を維持できるので有利である。また、スリップする可能性がある車輪の数が少なくなるため、旋回中の安定性を向上させることができる。
【００２９】
例示的な実施形態によれば、ステアリングシステムは、車両のプライマリステアリングシステムによる操舵に加え、車両を操舵することができる冗長のセカンダステアリングシステムであってもよい。
【００３０】
上記のように、冗長なセカンダリステアリングシステムに対して上記の方法を使用すると、プライマリステアリングシステムが期待通りに機能しない場合であっても、車両を十分に動作させることができる。従って、プライマリステアリングシステムと実質的に同様に機能するように車両を制御することができるので、車両をリンプホームモードなどで制御する必要はない。また、プライマリステアリングシステムが故障している場合であっても、車両がクラッシュするリスクが低減する。従って、安全性が向上する。
【００３１】
第２の態様によれば、左右端部に一対の操舵可能な車輪を備え、操舵可能な各車輪に個別に制御可能なホイールトルクアクチュエータを備えたフロントアクスルと、各ホイールトルクアクチュエータに接続され、旋回中に車両を動作させるのに必要な操舵角を決定し、旋回中に実際の操舵角を検出し、必要な操舵角と検出された実際の操舵角との差を決定し、操舵可能な車輪のホイールトルクアクチュエータについて、必要な操舵角と検出された実際の操舵角との差を小さくするのに必要な差動ホイールトルクを決定し、ホイールトルクアクチュエータを制御して操舵可能な車輪の差動ホイールトルクを達成するように構成された制御ユニットと、を備えた車両のステアリングシステムが提供される。
【００３２】
制御ユニットは、マイクロプロセッサ、マイクロコントローラ、プログラマブルデジタルシグナルプロセッサ、又は他のプログラム可能なデバイスを含んでいてもよい。制御ユニットはまた、又はその代わりに、特定用途向け集積回路、プログラマブルゲートアレイ、プログラマブルアレイロジック、プログラマブルロジックデバイス、又はデジタルシグナルプロセッサを含んでいてもよい。制御ユニットがマイクロプロセッサ、マイクロコントローラ、又はプログラマブルデジタルシグナルプロセッサなどのプログラム可能なデバイスを含む場合、プロセッサは、プログラム可能なデバイスの動作を制御するコンピュータ実行可能なコードを更に含んでいてもよい。
【００３３】
また、ステアリングシステムは、例えば、旋回中に実際の操舵角を検出する適切なセンサを備えるか、又はこれに接続されていてもよい。そのようなセンサは、好ましくは、センサに制御信号を送信する制御ユニットに接続されている。
【００３４】
例示的な実施形態によれば、ステアリングシステムは、自律車両の来るべき経路を検出するように配置された経路コントローラを更に備え、この経路コントローラが制御ユニットに接続されていてもよい。
【００３５】
経路コントローラは、好ましくは、来るべき経路を検出する手段を備えていてもよい。そのような手段は、例えば、センサ、カメラなどであってもよい。
【００３６】
例示的な実施形態によれば、ステアリングシステムは、制御ユニットに接続され、個別に制御されるホイールトルクアクチュエータの動作を制御するように配置されたホイールトルク制御モジュールを更に備えていてもよい。このホイールトルク制御モジュールは、制御ユニットから制御信号を受信したとき、ホイールトルクアクチュエータを制御して差動ホイールトルクを印加するように配置されている。
【００３７】
例示的な実施形態によれば、ホイールトルク制御モジュールは、操舵可能な各車輪のホイールトルクアクチュエータに関連して配置された、分散型のホイールトルク制御モジュールであってもよい。これによって、分散型のホイールトルク制御モジュールは、各車輪に密接に関連して配置されることで、各車輪にトルクを比較的迅速に印加することができる。
【００３８】
例示的な実施形態によれば、ホイールトルクアクチュエータは、ホイールブレーキを備えていてもよい。従って、ホイールブレーキは、車輪の回転運動に対抗するブレーキ圧を与え、これによって所望のトルクを達成するように配置されていてもよい。ホイールブレーキは、例えば、空気圧でブレーキ圧を印加することによって制御される、空気圧制御の摩擦ブレーキであってもよい。他の例によれば、ホイールブレーキは、電気機械式の摩擦ブレーキ、又は油圧制御式の摩擦ブレーキであってもよい。代替的又は付加的に、ホイールトルクアクチュエータは、正のトルクを与えるように配置された電気機械を備えていてもよい。
【００３９】
例示的な実施形態によれば、ステアリングシステムは、冗長のセカンダリステアリングシステムであって、制御ユニットは、自律車両のプライマリステアリングシステムが利用できないことを示す信号を受信し、プライマリステアリングシステムが利用できない場合、冗長のセカンダリステアリングシステムを制御するように更に配置されていてもよい。冗長のセカンダリステアリングシステムはまた、第１の態様に関連して上述したように、プライマリステアリングシステムが期待通りに機能しないとき、プライマリステアリングシステムに加えて動作されてもよい。
【００４０】
例示的な実施形態によれば、ステアリングシステムは、ホイールサスペンションシステムを更に備え、操舵可能な車輪は、正のスクラブ半径でホイールサスペンションシステムに連結されていてもよい。
【００４１】
第２の態様のさらなる効果及び特徴は、第１の態様に関連して上述したものとほぼ類似している。
【００４２】
第３の態様によれば、左右端部に一対の操舵可能な車輪を備え、操舵可能な各車輪が個別に制御可能なホイールトルクアクチュエータを備えたフロントアクスルと、第２の態様に関連して上述した実施形態の任意の１つに係るステアリングシステムと、を備えた車両が提供される。
【００４３】
例示的な実施形態によれば、車両は自律車両であってもよい。
【００４４】
第４の態様によれば、コンピュータで実行されたとき、第１の態様に関連して説明したステップを実行するプログラムコード手段を備えたコンピュータプログラムが提供される。
【００４５】
第５の態様によれば、コンピュータで実行されたとき、第１の態様に関連して説明したステップを実行するプログラム手段を備えたコンピュータプログラムを保持するコンピュータ可読媒体が提供される。
【００４６】
第３、第４及び第５の態様の効果及び特徴は、第１及び第２の態様に関連して説明したものとほぼ類似している。
【００４７】
本発明のさらなる特徴及び利点は、添付の特許請求の範囲及び以下の説明を検討すれば明らかになるであろう。当業者であれば、本発明の範囲から逸脱することなく、本発明の異なる特徴を組み合わせて、以下で説明する実施形態以外の実施形態を生み出すことができることを理解するであろう。
【００４８】
本発明の上記並びに追加の目的、特徴及び利点は、本発明の例示的な実施形態の以下の例示的及び非限定的な詳細な説明を通してより理解されるであろう。
【図面の簡単な説明】
【００４９】
【図１】トラックの形態をとる車両の例示的な実施形態を示す側面図である。
【図２】例示的な実施形態に係る旋回に晒される、図１の車両を上方から示す概略図である。
【図３】道路のコーナに侵入する前の図１の車両の説明図である。
【図４ａ】例示的な実施形態に係る操舵可能な前輪の１つを示す異なる図である。
【図４ｂ】例示的な実施形態に係る操舵可能な前輪の１つを示す異なる図である。
【図４ｃ】例示的な実施形態に係る操舵可能な前輪の１つを示す異なる図である。
【図５】例示的な実施形態に係るステアリングシステムの概略図である。
【図６】例示的な実施形態に係るステアリングシステムを制御する方法のフローチャートである。
【発明を実施するための形態】
【００５０】
本発明の例示的な実施形態を示す添付の図面を参照し、本発明を以下により詳細に説明する。しかしながら、本発明は、多くの異なる形態で具現化することができ、本明細書に記載の実施形態に限定されると解釈すべきではない。むしろ、これらの実施形態は、徹底性（thoroughness）及び完全性（completeness）のために提供されている。同様な参照符号は、説明の全体を通して、同様な要素を指す。
【００５１】
図１を特に参照すると、トラックの形態をとる車両１が提供されている。車両１は、内燃機関の形態をとる原動機１０と、車両のステアリングを制御するシステム（５００、例えば、図５参照）と、を備えている。車両１は、車両のフロントアクスル１０２の左右端部にそれぞれ配置された一対の操舵可能な車輪１０４，１０６を備えている。従って、フロントアクスル１０２は、車両１の前方に配置された車軸である。図１に示す車両１はまた、第１のリアアクスル１１２に結合された一対の第１の後輪１０８，１１０と、第２のリアアクスル１１８に結合された一対の第２の後輪１１４，１１６と、を備えている。第１のリアアクスル１１２は、車両１の前後方向で見て、第２のリアアクスル１１８の前方に配置されている。好ましくは、一対の第１の後輪１０８，１１０、及び一対の第２の後輪１１４，１１６は、操舵できない車輪である。後輪もまた、通常動作中に操舵可能であってもよいことを理解されたい。
【００５２】
車両１をさらに詳細に説明するために、図２及び図３を参照する。詳細には、図２は、旋回中に車両１及びその車輪に作用する力の例示的な実施形態を示し、図３は、旋回を開始する前の車両１、即ち、道路のカーブに到達する前の車両１を示している。
【００５３】
例示的な実施形態に係る旋回に晒される、図１の車両１を上方から見た概略図である図２から説明を開始する。従って、一対の操舵可能な車輪１０４，１０６は、回転して操舵角δになっている。操舵角δは、図２では簡略化のために、左側の操舵可能な車輪１０４と右側の操舵可能な車輪１０６とが同じに示されており、車両１の前後方向軸に対する車輪の角度である。車両１は、Ｖで示す車速で走行する。操舵可能な車輪１０４，１０６はまた、ホイールトルクアクチュエータ１０３，１０５を夫々備えている。
【００５４】
車両１は、上記のように、フロントアクスル１０２に配置された一対の操舵可能な車輪１０４，１０６と、第１のリアアクスル１１２に結合された一対の第１の後輪１０８，１１０と、第２のリアアクスル１１８に結合された一対の第２の後輪１１４，１１６と、を備えている。フロントアクスル１０２は、車両の重心２０２から距離ｌ１の位置に配置され、第１のリアアクスル１１２は、車両の重心２０２から距離ｌ２の位置に配置され、第２のリアアクスル１１８は、車両の重心２０２から距離ｌ３の位置に配置されている。重心２０２は、旋回中に車両１がその周りを回転する位置である。重心２０２は、車両１に影響を及ぼす合力（total global forces）が作用する、車両１の位置でもある。以下の説明では、ｘ軸は車両１の前後方向に延び、ｙ軸は車両１の横方向に延び、ｚ軸は車両１の上下方向に延びる。旋回中、車両１は、重心２０２においてトルクＭＺが作用する。また、車両１には、縦力の合力（global longitudinal force）Ｆｘ、及び横力の合力（global lateral force）Ｆｙが作用する。
【００５５】
また、フロントアクスル１０２の操舵可能な車輪１０４，１０６が操舵角δに操舵されると、左側の操舵可能な車輪１０４には、縦力Ｆｘ，１０４及び横力Ｆｙ，１０４が作用し、右側の操舵可能な車輪１０６には、縦力Ｆｘ，１０６及び横力Ｆｙ，１０６が作用する。左右の操舵可能な車輪１０４，１０６の横力の合力は、前輪の横力として表現することができる。前輪の縦力の合力は、例えば、車両を推進又は車両を減速したときに増減し、差動前輪力は、操舵角を制御するために使用される。
【００５６】
さらに、一対の第１の後輪１０８，１１０には、横力Ｆｙ，１０８及びＦｙ，１１０が夫々作用し、一対の第２の後輪１１４，１１６には、横力Ｆｙ，１１４及びＦｙ、１１６が夫々作用している。図２に示す例では、一対の第１の後輪１０８，１１０、及び一対の第２の後輪１１４，１１６の縦力は、０に設定、即ち、各車輪は推進又は制動されていない。これは、以下で詳細に説明する。
【００５７】
ここで、図３を参照すると、道路のカーブ３０２に侵入する前の車両、即ち、旋回を行う前の車両が示されている。図３から分かるように、車両１は、現在、車速Ｖで直進している。従って、カーブ３０２に侵入する前には、操舵角δがゼロである。カーブは、ｒｒｏａｄで表される半径を有している。これによって、車両は、適切なセンサによって前方の道路のカーブを検出することができる。例示的な実施形態によれば、車両は、前方の道路、即ち、来るべき旋回を検出するように配置された経路コントローラ（図５参照）を備えていてもよい。しかしながら、以下で説明するシステム及び方法は、旋回中、即ち、旋回が行われるときに実施してもよいと理解すべきである。また、旋回は、必ずしも図３に示すような道路のカーブに関連していなくてもよい。これとは逆に、旋回は、例えば、車両の車線変更に関連していてもよい。
【００５８】
ここで、図４ａ〜図４ｃを参照すると、例示的な実施形態に係る左側の操舵可能な車輪１０４の異なる図が示されている。詳細には、図４ａは左側の操舵可能な車輪１０４の側面図、図４ｂは左側の操舵可能な車輪１０４の背面図、図４ｃは左側の操舵可能な車輪１０４の旋回中の上面図である。
【００５９】
左側の操舵可能な車輪１０４の側面図である、図４ａから始める。車輪１０４のサスペンション（図示せず）は、車両１の前後方向において測定された、左側の操舵可能な車輪１０４の上下軸４０４からの操舵軸４０２の角度変位として規定されるサスペンションのキャスター角γを車輪１０４が有するように配置されている。路面４０１及び操舵軸４０２の交点と路面４０１及び上下軸４０４の交点との距離は、ｔｍとして表されている。車輪のサスペンションにより、車輪１０４と路面４０１との接触面４０６の力点（point of force application）は、路面４０１と上下軸４０４との交点から前後方向にわずかにオフセットして配置されている。このオフセットは、ｔｐとして表されている。従って、接触面は、地表面と接触するタイヤの領域である。このため、車輪１０４と路面４０１との接触面４０６の力点は、サスペンションのキャスター角γに依存している。
【００６０】
左側の操舵可能な車輪１０４の背面図である図４ｂを参照する。見て分かるように、有効車輪半径Ｒは、フロントアクスル１０２と路面４０１との距離として表され、車輪１０４は、傾斜角をτで表す傾斜したキングピン軸４０８によって、サスペンションに結合されている。従って、車輪１０４は、旋回中にキングピン軸４０８の周りを回転する。また、車輪１０４と路面４０１との接触面４０６の力点は、上下軸４０４と路面４０１との交点に位置している。車両１、特に、操舵可能な車輪１０４，１０６には、正のホイールサスペンションスクラブ半径ｒＳが設けられている。ホイールサスペンションスクラブ半径ｒＳは、接触面４０６の力点とキングピン軸４０８及び路面４０１の交点４０３との距離として表されている。正のホイールサスペンションスクラブ半径ｒＳは、図４ｂに示される前後方向で見て、キングピン軸４０８と路面４０１との交点が上下軸４０４の内側に位置するときに生成される。例えば、左側の操舵可能な車輪１０４にブレーキトルクが印加されると、正のスクラブ半径ｒＳが車両を左側に旋回させるので、車輪がキングピン軸４０８の周りを回転する。これによって、追加の操舵トルクＭｓｔｅｅｒを生み出すことができる。
【００６１】
上方から見た、左右の前輪を組み合わせた簡略図である図４ｃを参照する。図４ｃにおいて、操舵可能な車輪には、車両を左側に旋回させる、増加したホイールブレーキトルクが作用している。見て分かるように、車両１は、図３に関連して上述した道路のカーブで動作し、道路のカーブは半径ｒｒｏａｄを有している。従って、操舵可能な車輪１０４は、操舵角δを有している。しかしながら、操舵可能な車輪１０４は、車速Ｖをもって、操舵角δに対して角度αの方向に移動している。この角度αは、スリップ角αとも呼ばれる。
【００６２】
上記の説明によって、特定の道路のカーブで車両を動作させるのに必要な操舵角を決定することで車両の動きを制御し、そのような必要な操舵角を実際の操舵角と比較することができる。上記のパラメータについては、特に明記しない限り、詳細には説明しない。これによって、操舵可能な車輪１０４，１０６のホイールトルクを増加して、必要な操舵角と実際の操舵角との差を小さくすることができる。ホイールトルクは、Ｆｘ，１０４及びＦｘ，１０６と車輪半径Ｒとの差である、必要な差動縦力（differential longitudinal force）ΔＦｘを決定することによって求めることができる。
【００６３】
必要な追加の操舵トルクＭｓｔｅｅｒは、次式（１）により決定することができる。
【数１】
2021503402.tif 000003
ここで、Ｆｙ、１０４及びＦｙ，１０６は、操舵可能な車輪１０４，１０６の前輪の横力、ｔ＝ｔｍ＋ｔｐである。
【００６４】
式（１）は、次式（２）及び（３）により書き換えることができる。
【数２】
2021503402.tif 000004
ここで、Ｃαはタイヤの横剛性、Ｆｙ，ｉ＝Ｃα・α＝前輪の横力、ｖは前後方向の車速、ωは旋回中の車両の回転速度である。
【００６５】
また、重心２０２における車両のトルクＭＺは、次式（４）により決定することができる。
【数３】
2021503402.tif 000005
ここで、ΔＦｘ＝Ｆｘ，１０４−Ｆｘ，１０６、Ｆｘ，１０８＝Ｆｘ，１１０＝Ｆｘ，１１４＝Ｆｘ，１１６＝０、βは車両のサイドスリップ角であって０、ｗは車両のトラック幅（track width）である。これによって、速度が車両の前後軸と同じ方向を示していることが想定される。
【００６６】
また、操舵可能な車輪のスリップ角は、次式（５）〜（９）により決定することができる。
【数４】
2021503402.tif 000006
ここで、定常状態の操作においては、以下の通りである。
【数５】
2021503402.tif 000007
【００６７】
さらに、以下のような前提では、次式（１０）及び（１１）のようになる。
【数６】
2021503402.tif 000008
【００６８】
これによって、操舵可能な車輪の差動ホイールトルクは、有効車輪半径Ｒに基づいて決定することができる。
【００６９】
上記のことは、制御配分（control allocation）を割り当てることによって制御することができ、これによって次式（１２）を定式化することができる。
【数７】
2021503402.tif 000009
【００７０】
ここで、Ｒを有効半径、Ｔを各車輪のホイールトルクとすると、行列及びベクトルが次式（１４）のように定義される。
【数８】
2021503402.tif 000010
【００７１】
例示的な実施形態に係るステアリングシステム５００を示す、図５を参照する。図５から理解できるように、ステアリングシステム５００は、アクチュエータ制御モジュール５０２と、車両モーション制御モジュール５０４と、交通状況コントローラ５０６と、を有している。アクチュエータ制御モジュール５０２は、ホイールトルク制御モジュール５０８と、推進力コントローラ５１０と、操舵コントローラ５１２と、を有している。車両モーション制御モジュール５０４は、モーションコントローラ５１４と、アクチュエータ調整モジュール５１６と、を有している。最後に、交通状況コントローラ５０６は、経路コントローラ５１８と、車両スタビリティ制御モジュール５２０と、モーションリクエストモジュール５２２と、を有している。
【００７２】
図５における例示的なシステム５００の動作中、経路コントローラ５１８は、車両１の来るべき経路を検出して、経路を維持するのに必要な操舵角δｐａｔｈをモーションリクエストモジュール５２２に送信する。この信号は、経路のカーブ、及びいくつかの実装では車速に基づいている。また、車両スタビリティ制御モジュール５２０は、来るべき経路における車両の最大許容回転速度をモーションリクエストモジュール５２２に送信する。モーションリクエストモジュール５２２は、受信した信号を評価して、必要な操舵角δｒｅｑ、必要な回転速度ωreq、及び必要な前後方向の車両加速度αｘ，ｒｅｑをモーションコントローラ５１４に送信する。
【００７３】
モーションコントローラ５１４は、受信したパラメータを評価して、車両の縦力Ｆｘ、車両の横力Ｆｙ、車両のトルクＭＺ、並びに上述した追加の操舵トルクＭｓｔｅｅｒを含むベクトルをアクチュエータ調整モジュール５１６に送信する。
【００７４】
モーションコントローラ５１４から受信した信号に基づいて、アクチュエータ調整モジュール５１６は、ホイールトルク制御モジュール５０８、推進力コントローラ５１０及び操舵コントローラ５１２の１つ以上に信号を送信する。詳細には、ホイールトルク制御モジュール５０８は、必要なホイールトルクを示す信号を受信し、これによって、ホイールトルク制御モジュール５０８は、個別に制御可能なホイールトルクアクチュエータ１０３，１０５を制御して、必要な差動ホイールトルクを印加する。推進力コントローラ５１０は、必要な推進力を示す信号を受信して、そのような推進力を与えるように車両を制御する。最後に、操舵コントローラ５１２は、必要な操舵角δｒｅｑを示す信号を受信する。従って、操舵コントローラ５１２は、プライマリステアリングシステムが期待通り／意図した通りに機能している場合に主に使用される。ホイールトルク制御モジュール５０８、推進力コントローラ５１０及び操舵コントローラ５１２のそれぞれはまた、例えば、各パラメータなどの状態を示す制御信号をアクチュエータ調整モジュール５１６に返送することができる。
【００７５】
例示的な実施形態に係るステアリングシステムを制御する方法のフローチャートである、図６を参照して要約する。動作中、ステップＳ１において、旋回中に車両を動作させるのに必要な操舵角δｒｅｑが検出される。必要な操舵角δｒｅｑは、例えば、経路フォロワーから、又はステアリングホイールを回転させるオペレータから受信した信号に基づいて事前に決定することができる。その後、ステップＳ２において、旋回中に車両１が動作したとき、実際の操舵角が検出される。これによって、ステップＳ３において、必要な操舵角と検出された実際の操舵角との差を決定することができる。この決定された差によって、ステップＳ４において、差動ホイールトルクを決定することができる。そして、ステップＳ５において、操舵可能な車輪１０４，１０６のホイールトルクアクチュエータ１０３，１０５が制御されて、そのような差が小さくなる。ホイールトルクアクチュエータのタイプに応じて、ホイールトルクアクチュエータを制御して、操舵可能な車輪に差動制動力を印加するか、又は操舵可能な車輪に差動推進力を加えることができる。
【００７６】
本発明は、上述及び図示の実施形態に限定されないことを理解されたい。むしろ、当業者であれば、添付の特許請求の範囲内で、様々な変更及び修正がなされ得ることを認識するであろう。
【図１】
2021503402.tif 000011
【図２】
2021503402.tif 000012
【図３】
2021503402.tif 000013
【図４ａ】
2021503402.tif 000014
【図４ｂ】
2021503402.tif 000015
【図４ｃ】
2021503402.tif 000016
【図５】
2021503402.tif 000017
【図６】
2021503402.tif 000018
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
車両（１００）のステアリングシステムを制御する方法であって、前記車両（１００）は、左右端部に一対の操舵可能な車輪（１０４，１０６）を備えたフロントアクスル（１０２）を備え、前記操舵可能な各車輪は、個別に制御可能なホイールトルクアクチュエータ（１０３，１０５）を備え、
前記方法は、
旋回中に前記車両を動作させるのに必要な操舵角を決定するステップ（Ｓ１）と、
前記旋回中に実際の操舵角を検出するステップ（Ｓ２）と、
前記必要な操舵角と前記検出された実際の操舵角との差を決定するステップ（Ｓ３）と、
前記操舵可能な車輪の前記ホイールトルクアクチュエータ（１０３，１０５）について、前記必要な操舵角と前記検出された実際の操舵角との差を小さくするのに必要な差動ホイールトルクを決定するステップ（Ｓ４）であって、前記作動ホイールトルクは、前記必要な操舵角と前記検出された実際の操舵角との差を小さくするのに必要な前記一対の車輪の追加の操舵トルク（Ｍｓｔｅｅｒ）を決定するステップと、前記必要な追加の操舵トルクと前記操舵可能な車輪のホイールサスペンションのスクラブ半径とに基づいて、前記差動ホイールトルクを決定するステップと、によって決定されるステップと、
前記ホイールトルクアクチュエータを制御して、前記操舵可能な車輪の前記差動ホイールトルクを達成するステップ（Ｓ５）と、
を特徴とする方法。
【請求項２】
前記車両（１００）の前方の来るべき経路を決定することによって前記旋回を決定するステップと、
前記車両が前記経路で動作されたとき、前記実際の操舵角を検出するステップと、
を更に備えた、請求項１に記載の方法。
【請求項３】
前記差動ホイールトルクを決定するステップは、
前記一対の車輪（１０４，１０６）に作用する車輪の横力を決定するステップと、
前記車輪の横力に基づいて前記差動ホイールトルクを決定するステップと、
を備えた、請求項１又は２に記載の方法。
【請求項４】
前記車輪の横力を決定するステップは、
前記旋回について前記操舵可能な車輪（１０４，１０６）のスリップ角を決定するステップと、
前記操舵可能な車輪のコーナリング剛性と前記スリップ角とに基づいて前記車輪の横力を決定するステップと、
を備えた、請求項３に記載の方法。
【請求項５】
前記必要な追加の操舵トルクは、前記操舵可能な車輪のサスペンションのキャスター角に更に基づく、
請求項１〜４のいずれか１つに記載の方法。
【請求項６】
前記旋回中に前記車両に要求される縦力を決定するステップと、
前記操舵可能な車輪に前記差動ホイールトルクを印加したことによって生じる前記車両の縦力の変化を決定するステップと、
前記車両を制御して前記要求される車両の縦力を維持する推進力又は制動力を加えるステップと、
を更に備えた、請求項１〜５のいずれか１つに記載の方法。
【請求項７】
前記車両は、左右端部に操舵できない一対の後輪を備えた少なくとも１つのリアアクスルを更に備え、前記各後輪は、リアホイールトルクアクチュエータを備え、
前記方法は、前記操舵可能な車輪の前記トルクアクチュエータが動作しているとき、前記後輪の前記リアホイールアクチュエータがホイールトルクを印加することを禁止するステップを更に備えた、
請求項１〜６のいずれか１つに記載の方法。
【請求項８】
前記ステアリングシステムは、前記車両のプライマリステアリングシステムによって操舵することに加え、前記車両を操舵可能な冗長のセカンダリステアリングシステムである、
請求項１〜７のいずれか１つに記載の方法。
【請求項９】
左右端部に一対の操舵可能な車輪を備え、前記操舵可能な各車輪が個別に制御可能なホイールトルクアクチュエータを備えたフロントアクスルと、前記ホイールトルクアクチュエータのそれぞれに接続された制御ユニットと、を備え、
前記制御ユニットが、旋回中に前記車両を動作させるのに必要な操舵角を決定し、前記旋回中に実際の操舵角を検出し、前記必要な操舵角と前記検出された実際の操舵角との差を決定し、前記操舵可能な車輪の前記ホイールトルクアクチュエータについて、前記必要な操舵角と前記検出された実際の操舵角との差を小さくするのに必要な前記一対の車輪の追加の操舵トルク（Ｍｓｔｅｅｒ）を決定し、前記必要な追加の操舵トルクと前記操舵可能な車輪のホイールサスペンションのスクラブ半径とに基づいて、前記差動ホイールトルクを決定することによって、前記必要な操舵角と前記検出された実際の操舵角との前記差を小さくするのに必要な差動ホイールトルクを決定し、前記ホイールトルクアクチュエータを制御して前記操舵可能な車輪の前記差動ホイールトルクを達成するように構成された、
ステアリングシステム。
【請求項１０】
前記ステアリングシステムは、自律車両の来るべき経路を検出するように配置された経路コントローラを更に備え、前記経路コントローラが前記制御ユニットに接続された、
請求項９に記載のステアリングシステム。
【請求項１１】
前記ステアリングシステムは、前記制御ユニットに接続され、個々に制御可能な前記ホイールトルクアクチュエータの動作を制御するように配置されたホイールトルク制御モジュールを更に備え、前記ホイールトルク制御モジュールは、前記制御ユニットから制御信号を受信したとき、前記ホイールトルクアクチュエータを制御して前記差動ホイールトルクを印加するように配置された、
請求項９又は１０に記載のステアリングシステム。
【請求項１２】
前記ホイールトルク制御モジュールは、操舵可能な各車輪の前記ホイールトルクアクチュエータに関連して配置された分散型のホイールトルク制御モジュールである、
請求項１１に記載のステアリングシステム。
【請求項１３】
前記ホイールトルクアクチュエータは、ホイールブレーキを備えた、
請求項９〜１２のいずれか１つに記載のステアリングシステム。
【請求項１４】
前記ステアリングシステムは、冗長のセカンダリステアリングシステムであって、
前記制御ユニットは、前記自律車両のプライマリステアリングシステムが使用できないことを示す信号を受信し、前記プライマリステアリングシステムが使用できなければ、前記冗長のセカンダリステアリングシステムを制御するように更に配置された、
請求項９〜１３のいずれか１つに記載のステアリングシステム。
【請求項１５】
ホイールサスペンションシステムを更に備え、
前記操舵可能な車輪は、正のスクラブ半径で前記ホイールサスペンションシステムに結合された、
請求項９〜１４のいずれか１つに記載のステアリングシステム。
【請求項１６】
左右端部に一対の操舵可能な車輪を備え、前記操舵可能な各車輪は、個別に制御可能なホイールトルクアクチュエータを備えたフロントアクスルと、
請求項９〜１５のいずれか１つに記載のステアリングシステムと、
を備えた車両。
【請求項１７】
前記車両は自律車両である、
請求項１６に記載の車両。
【請求項１８】
コンピュータで実行されたとき、請求項１〜８のいずれか１つのステップを実行するプログラムコード手段を備えたコンピュータプログラム。
【請求項１９】
コンピュータで実行されたとき、請求項１〜８のいずれか１つのステップを実行するプログラム手段を備えたコンピュータプログラムを保持するコンピュータ可読媒体。
【国際調査報告】
2021503402.tif 000019
2021503402.tif 000020
2021503402.tif 000021